(57)【要約】【課題】  回転ドアと同様に風除効果を発揮させながら、通行者の安全性を向上させる。【解決手段】  建物２の前面に設置されるブース６内に形成された通路１０を非連通状態とするように平面パネル１４、１６が設けられている。平面パネル１４、１６は、一対のパネル１４ａ、１４ｂ、１６ａ、１６ｂでそれぞれ構成されている。これら一対のパネル１４ａ、１４ｂ、１６ａ、１６ｂが通路１０を閉じた状態で通路１０をスライド移動し、通路１０の端部開口１０ｂにおいて横スライドして、通路１０に隣接するパネル収納部１２の端部１２ａに入り、パネル収容部１２内を他方の端部１２ｂまでスライドし、他方の端部１２ｂから通路１０の開口端部１０ａに横スライドする。これを繰り返して、平面パネル１４、１６が通路１０を循環する。【選択図】        図１
2007332622.tif 000002
【特許請求の範囲】
【請求項１】
建物の前面に設置されるブース内に形成された通路を非連通状態とするように移動する複数の平面パネルを備え、前記各平面パネルが、一対のパネルでそれぞれ構成され、これら一対のパネルが前記通路を閉じた状態で前記通路を平行スライド移動し、前記通路の開口において横スライド開閉して、前記通路を循環するように構成されている出入口装置。
【請求項２】
請求項１記載の出入口装置において、前記各平面パネルを両引き分け式の一対のパネルで構成し、これら平面パネルを循環移動させるパネル収納部を前記通路の両側に設けた出入口装置。
【請求項３】
請求項１記載の出入口装置において、前記各平面パネルを連戸式の複数枚のパネルで構成し、これらパネルを循環移動させるパネル収納部を前記通路の一側に設けた出入口装置。
【請求項４】
請求項１記載の出入口装置において、前記各平面パネルを二重引戸式の一対のパネルで構成し、これら平面パネルを循環移動させるパネル収納部を前記通路の一側に設けた出入口装置。
【請求項５】
請求項１記載の出入口装置において、前記各平面パネルを前記通路の開口においてスライド・グライド動作する一対のパネルで構成し、このパネルを循環移動させるパネル収納部を前記通路の両側に設けた出入口装置。
【発明の詳細な説明】
【技術分野】
【０００１】
本発明は、建物から人が出入りするための出入口装置に関し、特に出入口装置が備えるパネルが自動的に移動するものに関する。
【背景技術】
【０００２】
出入口装置の一例が、特許文献１に開示されている。特許文献１に開示されている出入口装置は、回転ドア装置と称されるもので、平面形状が長円型に形成されたブースが建物の前面に設けられ、このブース内には、長円リング状の移動空間が形成されている。この移動空間内に配置された複数のパネルが、移動空間に沿って移動する。
【０００３】
【特許文献１】特開２００２−２８５７５４号公報
【発明の開示】
【発明が解決しようとする課題】
【０００４】
この回転ドア装置には、建物の内外を通行者が通行しても、建物内に風が吹き込むことを防止できる風除効果があり、多くの通行者を同時に通行させることができるという効果もある。しかし、複数のパネルが連続的に回転しているので、通行者が回転するパネルの動きを予測することが難しく、接近してくるパネルに通行者が衝突したり、回転するパネルと出入口の方立との間に通行者が挟まれたりする虞があった。
【０００５】
本発明は、回転ドアと同様に風除効果を維持し、かつ通行者の安全性を向上させた出入口装置を提供することを目的とする。
【課題を解決するための手段】
【０００６】
本発明の一態様の出入り口装置は、建物の前面に設置されるブース内に通路が形成されている。この通路は、その両端部に開口を有している。この通路を移動する複数の平面パネルが設けられている。これら複数の平面パネルは、通路を非連通状態とするように移動する。前記各平面パネルは、一対のパネルでそれぞれ構成され、これら一対のパネルが前記通路を閉じた状態で前記通路を平行スライド移動し、前記通路の開口において横スライド開閉して、前記通路を循環する。例えば通路の一方の端の開口から他方の端まで平行スライドして、他方の端の開口で横スライドする。横スライドした一対のパネルは、通路の一方の側または両側に設けたパネル収納部を通って通路の一方の端の開口まで移動し、そこで通路内に戻る。このようにして平面パネルは循環する。なお、他方の端で一対のパネルが横スライドするとき、別の一対のパネルが通路内にあって通路を非連通状態にする。
【０００７】
このように構成すると、１対のパネルからなる平面パネルが、通路の開口で、通行者にとって馴染みのある横スライドするので、通行者が平面パネルの動きにとまどうことなく通行することができるので、安全性が向上する。また、平面パネルが、通路を非連通状態とするように移動しているので、風除効果もある。さらに、通路は、一対の平面パネルが通過可能なように幅の広いものとなるので、多数の通行者が同時に通路を通行することが可能である。
【０００８】
前記各平面パネルを両引き分け式の一対のパネルで構成することができる。この場合、これら平面パネルを循環移動させるパネル収納部を前記通路の両側に設置する。例えば、通路の一方の開口で横スライドした１対のパネルは、両側の収納部に１つずつ収納されて、通路の他方の開口に向かって収納部を移動する。
【０００９】
このように構成すると、一つのパネルは、一方の開口で、両引き分けのスライド式自動ドアと同じように動作するので、通行者は通行になれている両引き分けのスライド式自動ドアを通過するのと同じ感覚で通過することができ、通行にとまどうことが無く、安全性を確保できる。
【００１０】
或いは、各平面パネルを連戸式の複数枚のパネルで構成することもできる。例えば複数枚のパネルが通路においてその幅方向に一直線上に配置することもできる。この場合、これらパネルを循環移動させるパネル収納部を前記通路の一側に設ける。各平面パネルを構成する複数枚のパネルは、一枚ずつパネル収納部に収容される。
【００１１】
このように構成すると、通路の一方の端の開口に到達した連戸式のパネルは、１枚ずつパネル収納部に収納され、他方の端の開口に向かってパネル収納部を移動する。パネル収納部が通路の一側だけに配置されているので、この出入り口装置の占有面積を小さくすることができる。
【００１２】
或いは、前記各平面パネルを二重引戸式の一対のパネルで構成することもできる。例えば一対のパネルが通路の長さ方向に沿って段違いに配置されている。但し、これら一対のパネルはそれらの互いに隣接する端部で接している。この場合、これら平面パネルを循環移動させるパネル収納部を前記通路の一側に設ける。各平面パネルを構成する一対のパネルは、一枚ずつパネル収納部に収容される。
【００１３】
このように構成すると、通路の一方の端の開口に到達した二重引戸式のパネルは、パネル収納部に１枚ずつ収納され、他方の端の開口に向かってパネル収納部を移動する。パネル収納部が通路の一側だけに配置されているので、この出入り口装置の占有面積を小さくすることができる。
【００１４】
或いは、前記各平面パネルを、前記通路の開口においてスライド・グライド動作する一対のパネルで構成することもできる。この場合、このパネルを循環移動させるパネル収納部を前記通路の両側に設ける。一対のパネルは、通路からパネル収納部内に入るときに旋回し、その幅方向がパネル収納部の長さ方向に沿う。そして、そのまま他方の端部まで移動し、その端部において旋回して、パネルの幅方向が通路の幅方向に沿う。
【００１５】
このように構成すると、各平面パネルがスライド・グライド動作するので、パネル収納部の幅を小さくでき、建物正面における出入り口装置の占有面積を小さくできる。
【発明の効果】
【００１６】
以上のように、本発明によれば、回転ドアと同様に風除効果を維持することができる上に、通行者がなじみのあるドアと同様に平面パネルが移動するので、通行者がとまどうことなく通行でき、通行者の安全性を向上させることができる。
【発明を実施するための最良の形態】
【００１７】
本発明の第１の実施形態の出入口装置では、図１（ａ）に示すように、建物２の前面に形成された開口４に、ブース６が取り付けられている。このブース６は、内部が空洞とされた概略直方体状のもので、長手側の側壁６ａ、６ｂの中途が開口４に位置している。このブース６の両端部が建物２の内外に位置している。このブース６の内部に仕切り壁８が設けられている。この仕切り壁８は、ブース６の側壁６ａ、６ｂに平行で、ブース６内を通路１０とパネル収納部１２とに区画している。即ち、通路１０とパネル収納部１２とは、互いに平行に並設されている。通路１０の幅をＷとすると、パネル収容部１２の幅はＷ／２とされている。通路１０の両端部は、それぞれ開口されて、人が通行可能である。
【００１８】
通路１０の建物２内の端部開口１０ａから通路１０内に入った通行者は、この通路１０を通路１０の建物２外の端部開口１０ｂに向かって移動することによって建物２から外に出ることができる。
【００１９】
ブース６内には、複数、例えば３枚の平面パネル１４、１６、１８が配置されている。これら平面パネル１４、１６、１８は、それぞれ１対のパネル１４ａ、１４ｂ、１６ａ、１６ｂ、１８ａ、１８ｂから構成されている。これら１対の平面パネル１４ａ、１４ｂ、１６ａ、１６ｂ、１８ａ、１８ｂは、それぞれＷ／２の幅を有し、通路１０、パネル収納部１２の高さ寸法にほぼ等しい高さ寸法を有している。
【００２０】
平面パネル１４、１６、１８は、通路１０内に位置するときには、その端部開口１０ａ、１０ｂ間を非連通状態とするように、すなわち遮蔽するように、側壁６ａと仕切り壁８とに跨ってパネル１４ａ、１４ｂ、１６ａ、１６ｂ、１８ａ、１８ｂが一直線上に位置している。即ち、連戸式である。平面パネル１４、１６、１８はパネル収納部１２内に位置するとき、パネル１４ａ、１４ｂ、１６ａ、１６ｂ、１８ａ、１８ｂが、それぞれ個別に側壁６ｂと仕切り壁８とに跨って位置している。
【００２１】
パネル１４ａ、１４ｂ、１６ａ、１６ｂ、１８ａ、１８ｂは、通路１０内ではそれぞれ一直線上に位置する状態を維持することによって端部開口１０ａ、１０ｂを遮蔽した状態を維持しながら、端部開口１０ａ側から端部開口１０ｂ側にスライド移動する。パネル１４ａ、１４ｂ、１６ａ、１６ｂ、１８ａ、１８ｂは、パネル収納部１２内では、１枚ずつ建物２外側の端部開口１２ａ側から建物２内側の端部開口１２ｂ側にスライド移動する。これら平面パネル１４、１６、１８は、例えば通路１０の端部開口１０ｂに到達すると、入口通路１２の端部開口１２ａに向かって横スライドする。この横スライドは、パネル１４ａ、１４ｂ、１６ａ、１６ｂ、１８ａ、１８ｂのうち、端部開口１０ｂにおいてパネル収容部１２に近いパネル、例えばパネル１８ｂがパネル収容部１２内に入り、端部１２ｂ側に移動した後、残りのパネル、例えばパネル１８ａがパネル収容部１２内に入る。パネル収納部１２の端部１２ｂから通路１０の端部１０ａに平面パネル１４、１６、１８が入るときには、まずパネル収納部１２において先行しているパネル、例えばパネル１６ａが端部１０ａ側に入り、それに続いて後続のパネル、例えばパネル１６ｂが入る。
【００２２】
これらパネル１４ａ、１４ｂ、１６ａ、１６ｂ、１８ａ、１８ｂは、例えばブース６の上部に設けた図示していない駆動機構によって駆動される。これらパネル１４ａ、１４ｂ、１６ａ、１６ｂ、１８ａ、１８ｂは、通路１０及びパネル収納部１２を移動するときは、高速Ｖｈで移動し、通路１０の開口端部１０ｂからパネル収納部１２の端部１２ａに横スライドするときも高速Ｖｈで移動する。パネル収納部１２の端部１２ｂから通路１０の端部１０ａに横スライドするとき、低速Ｖｌで移動する。Ｖｈ＞Ｖｌである。
【００２３】
例えば図１（ａ）に示すように、平面パネル１４が通路１０の端部開口１０ａに位置し、平面パネル１６の平面パネル１６ａがパネル収納部１２内の開口４よりも端部１２ｂ側に近い位置に、パネル１６ｂが開口４よりも端部１２ａに近い位置に位置し、平面パネル１８が通路１０の開口１０ｂにそれぞれ位置すると仮定する。このときの各パネルの位置を初期位置と称する。
【００２４】
この状態から単位時間ｔ後には、図１（ｂ）にそれぞれ示すように平面パネル１４は、初期位置からｔＶｈだけ端部開口１０ｂ側に移動している。平面パネル１６のパネル１６ａ、１６ｂはそれぞれの初期位置からｔＶｈだけ端部１２ｂ側に移動している。平面パネル１８のパネル１８ａ、１８ｂは、初期位置からｔＶｈだけ端部１２ａに横スライドしている。
【００２５】
この時点から更に単位時間ｔ後には図１（ｃ）に示すように、平面パネル１４は、端部初期位置から２ｔＶｈだけ端部開口１０ｂ側に移動している。平面パネル１６のパネル１６ａ、１６ｂは、初期位置からそれぞれ２ｔＶｈだけ移動し手いる。平面パネル１８のパネル１８ｂも初期位置から２ｔＶｈ横スライドして、端部開口１２ａに重なり、パネル１８ａも初期位置から２ｔＶｈ横スライドして、パネル１８ｂに接して後続している。
【００２６】
この時点から更に単位時間ｔ後には図１（ｄ）に示すように、平面パネル１４は、初期位置から３ｔＶｈだけ端部開口１０ｂ側に移動している。同時に、平面パネル１６のパネル１６ａは、初期位置から３ｔＶｈだけ移動し、端部開口１２ｂに到達している。即ち、パネル１６ａの初期位置から端部開口１２ｂまでの距離は３ｔＶｈである。パネル１６ｂは初期位置から３ｔＶｈだけ端部開口１２ｂ側に移動している。平面パネル１８のパネル１８ｂは、端部１２ａからｔＶｈだけ端部１２ｂ側に移動し、パネル１８ａは、初期位置から３ｔＶｈだけ端部開口１２ａ側に横スライドしている。
【００２７】
この時点から更に単位時間ｔ後には、図１（ｅ）に示すように、平面パネル１４は、初期位置１０ａから４ｔＶｈだけ端部開口１０ｂ側に移動している。同時に平面パネル１６のパネル１６ａは、端部１２ｂから端部開口１０ａ側にｔＶｌだけ横スライドしている。パネル１６ｂは初期位置から端部１２ｂ側に４ｔＶｈだけ移動している。平面パネル１８のパネル１８ｂは、端部１２ａから２ｔＶｈだけ端部１２ｂ側に移動しており、パネル１８ａは、初期位置から４ｔＶｈだけ移動して、端部１２ａに重なっている。図１（ｅ）から明らかなようにパネル収納部１２内におけるパネル１８ａ、１８ｂの間隔は２ｔＶｈである。他のパネル１４ａ、１４ｂ、１６ａ、１６ｂがパネル収納部１２を移動する際も、この間隔２ｔＶｈを維持する。
【００２８】
この時点から更に単位時間ｔ後には、図１（ｆ）に示すように、平面パネル１４は、初期位置から５ｔＶｈだけ端部開口１０ｂ側に移動している。平面パネル１６のパネル１６ａは端部１２ｂから２ｔＶｌだけ端部開口１０ａ側に横スライドし、パネル１６ｂは初期位置から端部１２ｂ側に５ｔＶｈだけ移動している。平面パネル１８のパネル１８ｂは、端部１２ａから端部１２ｂ側に３ｔＶｈだけ移動し、パネル１８ａは端部１２ａから端部１２ｂ側にｔＶｈ移動している。
【００２９】
この時点から単位時間ｔ後には、図２（ａ）に示すように、平面パネル１４は初期位置１０ａから端部開口１０ｂ側に６ｔＶｈだけ移動する。同時に平面パネル１６のパネル１６ａは、端部１２ｂから端部開口１０ａ側に３ｔＶｌだけ横スライドし、パネル１６ｂは、初期位置から端部１２ｂ側に６ｔＶｈだけ移動し、端部１２ｂに重なっている。平面パネル１８のパネル１８ｂは、端部１２ａから端部１２ｂ側に４ｔＶｈだけ移動し、平面パネル１８ａは、端部１２ａから端部１２ｂ側に２ｔＶｈだけ移動している。
【００３０】
この時点から単位時間ｔ後には、図２（ｂ）に示すように、平面パネル１４は初期位置から７ｔＶｈだけ端部開口１０ｂ側に移動している。平面パネル１６のパネル１６ａは端部１２ｂから端部開口１０ａ側に４ｔＶｌだけ横スライドし、パネル１６ｂは端部１２ｂからｔＶｌだけ端部開口１０ａ側に横スライドしている。平面パネル１８のパネル１８ｂは、端部１２ａから端部１２ｂ側に５ｔＶｈだけ移動し、平面パネル１８ａは、端部１２ａから端部１２ｂ側に３ｔＶｈだけ移動している。
【００３１】
この時点から単位時間ｔ後には、図２（ｃ）に示すように平面パネル１４は、８ｔＶｈだけ初期位置から移動し、端部開口１０ｂに到達している。従って、通路１０の長さは、８ｔＶｈである。平面パネル１６のパネル１６ａは、端部１２ｂから端部開口１０ａ側に５ｔＶｌだけ横スライドし、端部開口１０ａの端まで到達している。パネル１６ｂは端部１２ｂから２ｔＶｌだけ端部開口１０ａ側に横スライドしている。平面パネル１８のパネル１８ｂは、端部１２ａから端部１２ｂ側に６ｔＶｈだけ移動し、平面パネル１８ａは、端部１２ａから端部１２ｂ側に４ｔＶｈだけ移動している。
【００３２】
この時点から単位時間ｔ後には、図２（ｄ）に示すように、平面パネル１４は、待機したままで、端部開口１０ｂに位置している。平面パネル１６のパネル１６ａは、待機したままで、パネル１６ｂが端部１２ｂから３ｔＶｌだけ端部開口１０ａ側に横スライドし、パネル１６ａと協働して端部開口１０ａを閉じている。平面パネル１８のパネル１８ｂは、端部１２ａから端部１２ｂ側に７ｔＶｈだけ移動し、平面パネル１８ａは、端部１２ａから端部１２ｂ側に５ｔＶｈだけ移動している。
【００３３】
図２（ｄ）では、図１（ａ）の初期状態において平面パネル１４が位置した初期位置に平面パネル１６が位置し、平面パネル１６のパネル１６ａ、１６ｂが位置した初期位置に平面パネル１８のパネル１８ａ、１８ｂが位置し、平面パネル１８が位置した初期位置に平面パネル１４が位置している。以下、上述したパネル１４と同じ動作をパネル１６が行い、上述したパネル１６と同じ動作をパネル１８が行い、上述した平面パネル１８と同じ動作をパネル１４が行う。その結果、図１（ａ）の初期状態において平面パネル１４が位置した初期位置に平面パネル１８が位置し、平面パネル１６のパネル１６ａ、１６ｂが位置した初期位置に平面パネル１４のパネル１４ａ、１４ｂが位置し、平面パネル１８が位置した初期位置に平面パネル１６が位置する。以下、上述したパネル１４と同じ動作をパネル１８が行い、上述したパネル１６と同じ動作をパネル１４が行い、上述した平面パネル１８と同じ動作をパネル１６が行い、図１（ａ）に示す状態に戻り、図１（ａ）乃至（ｆ）及び図２（ａ）乃至（ｄ）に示した動作を再び行う。
【００３４】
この出入り口装置では、図１（ａ）乃至（ｄ）に示すように、ある平面パネル、例えば平面パネル１８の各パネル、例えばパネル１８ａ、１８ｂがパネル収容部１２内に収容されていく間、他の平面パネル、例えば平面パネル１４が通路１０内に位置し、端部開口１０ａ、１０ｂを遮断しているので、風除効果を維持できる。しかも、端部開口１０ｂが平面パネルの横スライドによって開かれるとき、その平面パネルの移動速度はＶｈと高速であるので、速やかに端部開口１０ｂが開かれ、円滑に通行者が通行することができる。逆に、端部開口１０ａを横スライドする平面パネルが速度Ｖｌと低速で閉じるので、閉じつつある平面パネルに通行者が接触しにくい。さらに、端部開口１０ａ、１０ｂの開閉は、通行者が通常の自動ドア等でよくなれているスライド式であるので、通行者がとまどうことなく通過することができる。しかも、各パネルはパネル収納部１２内を１枚ずつスライドするので、パネル収納部１２は１枚のパネルを収納するＷ／２の幅を有するものでよく、設置スペースを小さくできる。
【００３５】
第２の実施形態の出入り口装置を図３及び図４に示す。この出入り口装置では、平面パネルが、通路１０内において二重引戸式に、即ち、通路１０の長さ方向にパネルの厚さ分だけずれて、段違いに位置させられてスライドする。また、各平面パネルは、通路１０内では、高速Ｖｈでスライドし、通路１０の端部１０ｂからパネル収納部１２内に超高速Ｖｓで横スライドし、パネル収納部１２内でも超高速Ｖｓでスライドし、パネル収納部１２の端部１２ｂにおいて、端部１２ｂに近い側が中速Ｖｍで、端部１２ｂから遠い側が低速Ｖｌで横スライドする。他の構成は、第１の実施の形態の出入り口装置と同様である。同一部分には、同一符号を付して、その説明を省略する。
【００３６】
例えば図３（ａ）に示すように、平面パネル１４が通路１０の端部開口１０ａに位置し、平面パネル１６の平面パネル１６ａ、１６ｂそれらの面をほぼ接触させた状態で、パネル収納部１２内の開口４付近に位置し、平面パネル１８が通路１０の開口１０ｂにそれぞれ位置すると、仮定する。これら位置を初期位置と称する。
【００３７】
この状態から単位時間ｔ後には、図３（ｂ）にそれぞれ示すように平面パネル１４は、ｔＶｈだけ初期位置から端部開口１０ｂ側に移動し、平面パネル１６のパネル１６ａ、１６ｂは初期位置からｔＶｓだけ端部１２ｂ側に移動し、平面パネル１８の平面パネル１８ａ、１８ｂは、ｔＶｂだけ初期位置から端部１２ａに横スライドしている。
【００３８】
この時点から更に単位時間ｔ後には図３（ｃ）に示すように、平面パネル１４は、初期位置から２ｔＶｈだけ端部開口１０ｂ側に移動し、平面パネル１６のパネル１６ａ、１６ｂは、初期位置からそれぞれ２ｔＶｈだけ端部１２ｂ側に移動し、先行するパネル１６ａが端部１２ｂに重なっている。平面パネル１８のパネル１８ｂも初期位置から２ｔＶｓ横スライドして、端部１２ａに重なり、パネル１８ｂも初期位置から２ｔＶｓ横スライドして、パネル１８ａに一部が重なって位置している。
【００３９】
この時点から更に単位時間ｔ後には図３（ｄ）に示すように、平面パネル１４は、初期位置から３ｔＶｈだけ端部開口１０ｂ側に移動している。同時に、平面パネル１６のパネル１６ａ、１６ｂは、待機状態であり、図３（ｃ）と同じ位置に位置している。平面パネル１８のパネル１８ｂは、待機状態であり、パネル１８ａは、初期位置から３ｔＶｓだけ端部１２ａ側に横スライドして、パネル１８ｂの前方側でパネル１８ｂに完全に重なっている。
【００４０】
この時点から更に単位時間ｔ後には、図３（ｅ）に示すように、平面パネル１４は、初期位置から４ｔＶｈだけ端部開口１０ｂ側に移動している。同時に平面パネル１６のパネル１６ａは、端部１２ｂから端部開口１０ａ側に中速Ｖｍで横スライドし、端部１２ｂからｔＶｍだけ端部開口１０ａ側の位置にある。パネル１６ｂは端部１２ｂ側から端部開口１０ａ側に低速Ｖｌで横スライドし、端部１２ｂから端部開口１０ａ側にｔＶｌだけ移動している。平面パネル１８のパネル１８ａ、１８ｂは、端部１２ａから一緒にｔＶｓだけ端部１２ｂ側に移動している。
【００４１】
この時点から更に単位時間ｔ後には、図３（ｆ）に示すように、平面パネル１４は、初期位置から５ｔＶｈだけ端部開口１０ｂ側に移動している。平面パネル１６のパネル１６ａは端部１２ｂから端部開口１０ａ側に２ｔＶｍだけ横スライドし、パネル１６ｂは端部１２ｂから端部開口１０ａ側に２ｔＶｌだけ移動している。平面パネル１８のパネル１８ａ、１８ｂは、端部１２ａから端部１２ｂ側に２ｔＶｓだけ一緒に移動している。
【００４２】
この時点から単位時間ｔ後には、図４（ａ）に示すように、平面パネル１４は初期位置から端部開口１０ｂ側に６ｔＶｈだけ移動している。同時に平面パネル１６のパネル１６ａは、端部１２ｂから端部開口１０ａ側に３ｔＶｍだけ横スライドし、パネル１６ｂは端部１２ｂから端部開口１０ａ側に３ｔＶｌだけ移動している。平面パネル１８のパネル１８あ、１８ｂは、端部１２ａから端部１２ｂ側に３ｔＶｓだけ一緒に移動している。
【００４３】
この時点から単位時間ｔ後には、図４（ｂ）に示すように、平面パネル１４は初期位置から端部開口１０ｂ側に７ｔＶｈだけ移動している。同時に平面パネル１６のパネル１６ａは、端部１２ｂから端部開口１０ａ側に４ｔＶｍだけ横スライドし、パネル１６ｂは端部１２ｂから端部開口１０ａ側に４ｔＶｌだけ移動している。平面パネル１８のパネル１８ａ、１８ｂは、端部１２ａから端部１２ｂ側に４ｔＶｓだけ一緒に移動している。
【００４４】
この時点から単位時間ｔ後には、図４（ｃ）に示すように平面パネル１４は、初期位置から端部開口１０ｂ側に７ｔＶｈだけ移動して、端部開口１０ｂに重なっている。同時に平面パネル１６のパネル１６ａは、端部１２ｂから端部開口１０ａ側に５ｔＶｍだけ横スライドし、端部開口１０ａの幅方向の端に到達し、パネル１６ｂは端部１２ｂから端部開口１０ａ側に５ｔＶｌだけ移動し、パネル１６ａに接して後続している。これによって、平面パネル１６が端部開口１０ａを閉じている。平面パネル１８のパネル１８ａ、１８ｂは、端部１２ａから端部１２ｂ側に５ｔＶｓだけ一緒に移動して、開口４付近に位置している。
【００４５】
図４（ｃ）では、図３（ａ）の初期状態において平面パネル１４が位置した初期位置に平面パネル１６が位置し、平面パネル１６のパネル１６ａ、１６ｂが位置した初期位置に平面パネル１８のパネル１８ａ、１８ｂが位置し、平面パネル１８が位置した初期位置に平面パネル１４が位置している。以下、上述したパネル１４と同じ動作をパネル１６が行い、上述したパネル１６と同じ動作をパネル１８が行い、上述した平面パネル１８と同じ動作をパネル１４が行う。その結果、図３（ａ）の初期状態において平面パネル１４が位置した初期位置に平面パネル１８が位置し、平面パネル１６のパネル１６ａ、１６ｂが位置した初期位置に平面パネル１４のパネル１４ａ、１４ｂが位置し、平面パネル１８が位置した初期位置に平面パネル１６が位置する。以下、上述したパネル１４と同じ動作をパネル１８が行い、上述したパネル１６と同じ動作をパネル１４が行い、上述した平面パネル１８と同じ動作をパネル１６が行い、図３（ａ）に示す状態に戻り、図３（ａ）乃至（ｆ）及び図４（ａ）乃至（ｃ）に示した動作を再び行う。
【００４６】
この出入り口装置では、図３（ａ）乃至（ｄ）に示すように、ある平面パネル、例えば平面パネル１８の各パネル、例えばパネル１８ａ、１８ｂがパネル収容部１２内に収容されていく間、他の平面パネル、例えば平面パネル１４が通路１０内に位置し、端部開口１０ａ、１０ｂを遮断しているので、風除効果を維持できる。しかも、端部開口１０ｂが平面パネルの横スライドによって開かれるとき、その平面パネルの移動速度はＶｓと超高速であるので、速やかに端部開口１０ｂが開かれ、円滑に通行者が通行することができる。逆に、端部開口１０ａを横スライドして閉じる平面パネルは、先行するものが中速度Ｖｍ、後続するものが低速度Ｖｌで閉じるので、閉じつつある平面パネルに通行者が接触しにくく、かつ二重引戸の状態で端部開口１０ａを閉じる。さらに、端部開口１０ａ、１０ｂの開閉は、通行者が通常の自動ドア等でよくなれているスライド式であるので、通行者がとまどうことなく通過することができる。しかも、各パネルはパネル収納部１２内を１枚ずつスライドするので、パネル収納部１２は１枚のパネルを収納するＷ／２の幅を有するものでよく、設置スペースを小さくできる。
【００４７】
本発明の第３の実施形態の出入り口装置は、図５（ａ）乃至（ｄ）、図６（ａ）乃至（ｃ）に示すように通路１０の両側にパネル収容部１２０、２２０が通路１０と平行にかつ隣接して設けられている。平面パネルは、平面パネル１４、１６の２枚である。パネル収容部１２０、２２０の幅は、各平面パネル１４、１６のパネル１４ａ、１４ｂ、１６ａ、１６ｂの幅Ｗ／２に等しい。各平面パネル１４、１６は、通路１０内を、端部開口１０ａ側から端部開口１０ｂ側に、通路１０の両端部開口１０ａ、１０ｂを遮蔽した状態で、中速Ｖｍでスライド移動し、端部開口１０ｂに到達すると、両側のパネル収容部１２０、２２０に高速Ｖｈで横スライドし、パネル収容部１２０、２２０内を端部１２０ａ、２２０ａ側から端部１２０ｂ、２２０ｂ側に超高速Ｖｓで移動し、端部１２０ｂ、２２０ｂに到達すると、低速Ｖｌで端部開口１０ａ内に横スライドするように構成されている。
【００４８】
例えば図５（ａ）に示すように、平面パネル１４のパネル１４ａ、１４ｂが開口４付近に端部開口１０ａ、１０ｂに平行に一直線状に位置し、平面パネル１６のパネル１６ａがパネル収容部１２０の端部１２０ｂに、パネル１６ｂがパネル収容部２２０の端部２２０ｂに位置すると仮定する。このときの各パネルの位置を初期位置と称する。
【００４９】
この初期状態から単位時間ｔ経過すると、同図（ｂ）に示すように平面パネル１４は、初期位置から端部開口１０ｂ側にｔＶｍ移動している。平面パネル１６のパネル１６ａ、１６ｂは初期位置からＶｌだけ通路１０の端部開口１０ａ側に横スライドしている。
【００５０】
さらに単位時間ｔが経過すると、同図（ｃ）に示すように平面パネル１４は、初期位置から２ｔＶｍ移動して、端部開口１０ｂに到達し、これを遮蔽している。一方、平面パネル１６の各パネル１６ａ、１６ｂは、それぞれ２ｔＶｌだけ初期位置から端部開口１０ａ側に横スライドし、両パネル１６ａ、１６ｂが接して、端部開口１０ａを閉じている。
【００５１】
さらに単位時間ｔが経過すると、同図（ｄ）に示すように平面パネル１４のパネル１４ａは、端部開口１０ｂから端部１２０ａ側に、パネル１４ｂは、端部開口１０ｂから端部２２０ａ側に、それぞれＶｈだけ移動している。一方、平面パネル１６は、端部開口１０ａからＶｍだけ移動している。
【００５２】
さらに単位時間ｔが経過すると、図６（ａ）に示すように平面パネル１４のパネル１４ａ、１４ｂはそれぞれ端部開口１０ｂから２ｔＶｈだけ横スライドし、端部１２０ａ、２２０ａに重なっている。一方、平面パネル１６は、端部開口１０ａから２ｔＶｍだけ端部開口１０ｂ側に移動している。
【００５３】
さらに単位時間ｔが経過すると、同図（ｂ）に示すように、平面パネル１４ａ、１４ｂは端部１２０ａ、２２０ａ側から端部１２０ｂ、２２０ｂ側にｔＶｓだけ移動している。一方、平面パネル１６は、端部開口１０ａ側から端部開口１０ｂ側に２ｔＶｍだけ移動している。
【００５４】
さらに単位時間ｔが経過すると、同図（ｃ）に示すように、平面パネル１４ａ、１４ｂは端部１２０ａ、２２０ａから端部１２０ｂ、２２０ｂ側に２ｔＶｓだけ移動し、端部１２０ｂ、２２０ｂに到達している。一方、平面パネル１６は、端部開口１０ａから２ｔＶｍだけ移動している。
【００５５】
このとき、パネル１４ａ、１４ｂは初期状態においてパネル１６ａ、１６ｂが位置した初期位置にあり、パネル１６ａ、１６ｂは初期状態においてパネル１４ａ、１４ｂが位置した初期位置にある。以下、上述した平面パネル１４と同じ動作を平面パネル１６が行い、上述した平面パネル１６と同じ動作を平面パネル１４が行う。その結果、図５（ａ）に示す状態に戻り、図５（ａ）乃至（ｄ）及び図６（ａ）乃至（ｃ）に示した動作を再び行う。
【００５６】
この出入り口装置では、図５（ｃ）、（ｄ）、図６（ａ）に示すように、ある平面パネル、例えば平面パネル１４の各パネル、例えばパネル１４ａ、１４ｂがパネル収容部１２０、２２０内に収容されていく間、他の平面パネル、例えば平面パネル１６が通路１０内に位置し、端部開口１０ａ、１０ｂを遮断しているので、風除効果を維持できる。しかも、端部開口１０ｂが平面パネルの横スライドによって開かれるとき、その平面パネルの移動速度はＶｈと高速であるので、速やかに端部開口１０ｂが開かれ、円滑に通行者が通行することができる。逆に、図５（ａ）乃至（ｃ）に示すように横スライドする平面パネルが速度Ｖｌと低速で端部開口１０ａを閉じるので、閉じつつある平面パネルに通行者が接触しにくい。さらに、端部開口１０ａ、１０ｂの開閉は、通行者が通常の自動ドア等でよくなれているスライド式であるので、通行者がとまどうことなく通過することができる。
【００５７】
本発明の第４実施形態の出入り口装置でも、図７（ａ）乃至（ｅ）に示すように通路１０の両側にパネル収容部１２１、２２１が設けられている。但し、その幅は、第３の実施形態のパネル収容部１２０、２２０の幅Ｗ／２よりも狭い。各平面パネル１４、１６は、通路１０内を、端部開口１０ａ側から端部開口１０ｂ側に、通路１０の両端部開口１０ａ、１０ｂを遮蔽した状態で、即ち、各平面パネルの幅方向を端部開口１０ａ、１０ｂに平行にして中速Ｖｍでスライド移動し、端部開口１０ｂに到達すると、両側のパネル収容部１２１、２２１に高速Ｖｈで旋回し、その幅方向がパネル収容部１２１、２２１の長さ方向に沿うようにして、パネル収容部１２１、２２１内を端部１２１ａ、２２１ａ側から端部１２１ｂ、２２１ｂ側に高速Ｖｈで移動し、端部１２１ｂ、２２１ｂに到達すると、低速Ｖｌで端部開口１０ａ内に旋回して、その幅方向が端部開口１０ａ、１０ｂの幅方向と平行にするように構成されている。即ち、各平面パネルはグライドスライドする。
【００５８】
例えば図７（ａ）に示すように、平面パネル１４のパネル１４ａ、１４ｂが端部開口１０ａに位置し、平面パネル１６が端部開口１０ｂに位置すると仮定する。
【００５９】
この初期状態から単位時間ｔ経過すると、同図（ｂ）に示すように平面パネル１４のパネル１４ａ、１４ｂは、初期位置からパネル収容部１２１、２２１内に高速Ｖｈで旋回しつつあり、平面パネル１６は端部開口１０ａからＶｍだけ端部開口１０ｂ側にスライドしている。
【００６０】
さらに単位時間ｔが経過すると、同図（ｃ）に示すように平面パネル１４のパネル１４ａ、１４ｂは、パネル収納部１２１、２２１内にその幅方向をパネル収納部１２１、２２１の長さ方向に沿わせて位置している。一方、平面パネル１６は、それぞれ２ｔＶｍだけ端部開口１０ａから端部開口１０ｂ側にスライドしている。
【００６１】
さらに単位時間ｔが経過すると、同図（ｄ）に示すように平面パネル１４のパネル１４ａ、１４ｂは、端部１２１、２２１ｂから端部開口１０ａ側に、それぞれＶｌで旋回している。一方、平面パネル１６は、端部開口１０ａから３ｔＶｍだけ移動している。
【００６２】
さらに単位時間ｔが経過すると、同図（ｅ）に示すように平面パネル１４のパネル１４ａ、１４ｂは、その幅方向を端部開口１０ａの幅方向に一致させ、かつ互いに接して、端部開口１０ａを閉じている。一方、平面パネル１６は、端部開口１０ａから４ｔＶｍだけ端部開口１０ｂ側に移動し、端部開口１０ｂを閉じてている。
【００６３】
このとき、パネル１４ａ、１４ｂは初期状態においてパネル１６ａ、１６ｂが位置した位置にあり、パネル１６ａ、１６ｂは初期状態においてパネル１４ａ、１４ｂが位置した位置にある。以下、上述した平面パネル１４と同じ動作を平面パネル１６が行い、上述した平面パネル１６と同じ動作を平面パネル１４が行う。その結果、図７（ａ）に示す状態に戻り、図７（ａ）乃至（ｅ）に示した動作を再び行う。
【００６４】
この出入り口装置では、図７（ａ）乃至（ｃ）に示すように、ある平面パネル、例えば平面パネル１４の各パネル、例えばパネル１４ａ、１４ｂがパネル収容部１２０、２２０内に収容されていく間、他の平面パネル、例えば平面パネル１６が通路１０内に位置し、端部開口１０ａ、１０ｂを遮断しているので、風除効果を維持できる。しかも、端部開口１０ｂが平面パネル１４、１６の旋回によって開かれるとき、その平面パネルの移動速度はＶｈと高速であるので、速やかに端部開口１０ｂが開かれ、円滑に通行者が通行することができる。逆に、図５（ｄ）、（ｅ）に示すように旋回する平面パネルが速度Ｖｌと低速で端部開口１０ａを閉じるので、閉じつつある平面パネルに通行者が接触しにくい。さらに、端部開口１０ａ、１０ｂの開閉は、通行者が通常の自動ドア等でよくなれているスライド式であるので、通行者がとまどうことなく通過することができる。また、各パネル１４ａ、１４ｂ、１６ａ、１６ｂは、パネル収納部１２１、２２１内では、その幅方向をパネル収納部１２１、２２１の長さ方向に沿わせてスライドするので、パネル収納部１２１、２２１の幅を各パネルの幅よりも小さくすることができ、この出入り口装置の設置スペースを小さくすることができる。
【００６５】
上記の各実施形態では、建物２から通行者が出る場合の出入り口装置を示したが、建物２内に通行者が入る場合の出入り口装置とすることもできる。その場合、上記の各実施形態の出入り口装置を１８０度回転させて、端部開口１０ａが建物２外に、端部開口１０ｂが建物２内に位置するように配置すればよい。
【００６６】
上記の両実施形態では、２枚または３枚の平面パネルを使用したが、これに限ったものではなく、２枚以上であれば、更に多くの平面パネルを使用することもできる。
【図面の簡単な説明】
【００６７】
【図１】本発明の第１の実施形態の出入り口装置の初期状態から５ｔ時間後までの平面パネルの動作を示す平面図である。
【図２】図１の出入り口装置の６ｔ時間から１１ｔ時間後までの平面パネルの動作を示す平面図である。
【図３】本発明の第２の実施形態の出入り口装置の初期状態から５ｔ時間後までの平面パネルの動作を示す平面図である。
【図４】図３の出入り口装置の６ｔ時間から８ｔ時間までの平面パネルの動作を示す平面図である。
【図５】本発明の第３の実施形態の出入り口装置の初期状態から３ｔ時間後までの平面パネルの動作を示す平面図である。
【図６】図５の出入り口装置の４ｔ時間から６ｔ時間後までの平面パネルの動作を示す平面図である。
【図７】本発明の第４の実施形態の出入り口装置の初期状態から４ｔ時間後までの平面パネルの動作を示す平面図である。
【符号の説明】
【００６８】
２  建物
６  ブース
１０  通路
１２  パネル収納部
１４  １６  平面パネル
【図１】
2007332622.tif 000003
【図２】
2007332622.tif 000004
【図３】
2007332622.tif 000005
【図４】
2007332622.tif 000006
【図５】
2007332622.tif 000007
【図６】
2007332622.tif 000008
【図７】
2007332622.tif 000009